(57)【要約】【課題】空気より重い埃の床部の上面などへの堆積を減少させ、室内清掃の負担を低減することができる室内清掃システムを提供する。【解決手段】建物１の１階の室内空間３Ａ及び２階の室内空間３Ｂが、給気口５と、床部１ｅ，１ｆ及び床部１ｅ，１ｆ近傍の壁部１ｃに設けられた排気口６，７とをそれぞれ備えた構成とされている。【選択図】図１
2010175183.tif 000002
【特許請求の範囲】
【請求項１】
建物の室内空間を換気によって清掃する室内清掃システムであって、
前記室内空間が、給気口と、床部及び該床部近傍の壁部の少なくともいずれか一方に設けられた排気口とを備えていることを特徴とする室内清掃システム。
【請求項２】
前記排気口には、排気用ファンが設けられていることを特徴とする請求項１に記載の室内清掃システム。
【請求項３】
前記建物は、２４時間換気システムを備えていることを特徴とする請求項１又は２に記載の室内清掃システム。
【請求項４】
前記給気口は、前記２４時間換気システムの給気口であることを特徴とする請求項３に記載の室内清掃システム。
【請求項５】
前記給気口は、前記排気口と対向する前記床部の近傍の壁部に設けられていることを特徴とする請求項１乃至４のいずれか１項に記載の室内清掃システム。
【請求項６】
前記給気口及び前記排気口のすくなくとも一方に、ノズルが設けられていることを特徴とする請求項１乃至５のいずれか１項に記載の室内清掃システム。
【請求項７】
前記ノズルは、可動式であることを特徴とする請求項６に記載の室内清掃システム。
【請求項８】
前記給気口及び前記排気口のすくなくとも一方に、ルーバーが設けられていることを特徴とする請求項１乃至５のいずれか１項に記載の室内清掃システム。
【請求項９】
前記ルーバーは、可動式であることを特徴とする請求項８に記載の室内清掃システム。
【請求項１０】
運転パターンには、換気と弱風での清掃を行う弱清掃モードと、換気と強風での清掃を行う強清掃モードと、換気のみを行う通常モードの少なくとも３つのモードがあることを特徴とする請求項１乃至９のいずれか１項に記載の室内清掃システム。
【請求項１１】
請求項１乃至１０のいずれか１項に記載の室内清掃システムを備えていることを特徴とする建物。
【発明の詳細な説明】
【技術分野】
【０００１】
本発明は、建物の室内空間を換気によって清掃する室内清掃システム及び同室内清掃システムを備えた建物に関するものである。
【背景技術】
【０００２】
近年、建物を構築する際には、建築基準法の改正により、シックハウス対策の一環として、これまでの各部屋単位による換気ではなく、建物全体を効率的に換気する２４時間換気システムを導入しなければならなくなった。
【０００３】
こうした背景から２４時間換気システムに関する技術が多数提案されている（特許文献１などを参照）。
【先行技術文献】
【特許文献】
【０００４】
【特許文献１】特開２００７−１０１０７７号公報
【発明の概要】
【発明が解決しようとする課題】
【０００５】
しかしながら、従来の２４時間換気システムでは、空気よりも軽い埃は対象となるので、建物の屋外へほとんど排出されるが、空気よりも重い埃は対象外であった。
【０００６】
このため、こうした空気よりも重い埃は、建物の室内空間の床部の上面などに堆積されるので、この堆積した埃を取り除くためには、まめに室内清掃を行わなければならなかった。
【０００７】
そこで、本発明は、空気より重い埃の床部の上面などへの堆積を減少させ、室内清掃の負担を低減することができる室内清掃システム及び同室内清掃システムを備えた建物を提供することを目的としている。
【課題を解決するための手段】
【０００８】
前記目的を達成するために、本発明の室内清掃システムは、建物の室内空間を換気によって清掃する室内清掃システムであって、前記室内空間が、給気口と、床部及び該床部近傍の壁部の少なくともいずれか一方に設けられた排気口とを備えていることを特徴とする。
【０００９】
ここで、前記排気口には、排気用ファンが設けられているとよい。
【００１０】
また、前記建物は、２４時間換気システムを備えているとよい。
【００１１】
さらに、前記給気口は、前記２４時間換気システムの給気口であるとよい。
【００１２】
また、前記排気口と対向する前記給気口は、前記床部の近傍の壁部に設けられているとよい。
【００１３】
さらに、前記給気口及び前記排気口のすくなくとも一方に、ノズルが設けられていてもよい。
【００１４】
また、前記ノズルは、可動式であるとよい。
【００１５】
さらに、前記給気口及び前記排気口のすくなくとも一方に、ルーバーが設けられていてもよい。
【００１６】
また、前記ルーバーは、可動式であるとよい。
【００１７】
さらに、運転パターンには、換気と弱風での清掃を行う弱清掃モードと、換気と強風での清掃を行う強清掃モードと、換気のみを行う通常モードの少なくとも３つのモードがあるとよい。
【００１８】
本発明の建物は、上記したいずれかの室内清掃システムを備えていることを特徴とする。
【発明の効果】
【００１９】
このような本発明の室内清掃システムは、建物の室内空間が、給気口と、床部及び床部近傍の壁部の少なくともいずれか一方に設けられた排気口とを備えた構成である。
【００２０】
こうした構成なので、通常の換気では建物の屋外へ排出することができない空気より重い埃の床部の上面などへの堆積を減少させ、室内清掃の負担を低減することができる。
【００２１】
ここで、排気口に、排気用ファンが設けられている場合は、排気用ファンの働きで、空気より重い埃の床部の上面などへの堆積をより減少させ、室内清掃の負担をより低減することができる。
【００２２】
また、建物が、２４時間換気システムを備えている場合は、空気より軽い埃は建物の屋外へほとんど排出することができる。
【００２３】
さらに、給気口が、２４時間換気システムの給気口である場合は、別途、給気口を設ける必要がなく、施工性がよい。
【００２４】
また、給気口が、排気口と対向する床部の近傍の壁部に設けられている場合は、この給気口からの風圧により、空気よりも重い埃を排気口の方向へ押しやるため、室内空間をより効率的に清掃することができる。
【００２５】
さらに、給気口及び排気口のすくなくとも一方に、ノズルが設けられている場合は、ノズルの方向により、空気の流れる方向を効率的な方向へ設定できるため、空気より重い埃の床部の上面などへの堆積をさらにより減少させ、室内清掃の負担をさらにより低減することができる。
【００２６】
また、ノズルが、可動式である場合は、室内空間のレイアウトなどを変えた際なども、ノズルの方向を変えるだけで、空気の流れる方向を効率的な方向へ設定できる。
【００２７】
さらに、給気口及び排気口のすくなくとも一方に、ルーバーが設けられている場合は、ルーバーの羽の方向により、空気の流れる方向を効率的な方向へ設定できるため、空気より重い埃の床部の上面などへの堆積をさらにより減少させ、室内清掃の負担をさらにより低減することができる。
【００２８】
また、ルーバーが、可動式である場合は、室内空間のレイアウトなどを変えた際なども、ルーバーの羽の方向を変えるだけで、空気の流れる方向を効率的な方向へ設定できる。
【００２９】
さらに、運転パターンには、換気と弱風での清掃を行う弱清掃モードと、換気と強風での清掃を行う強清掃モードと、換気のみを行う通常モードの少なくとも３つのモードがある場合は、建物の住人の意向に沿った運転が行える。
【００３０】
例えば、建物内に人が居るときは、弱清掃モードに設定すると、建物内の人が不快感を持たない程度の弱の状態の風量で、室内空間において、２４時間換気を行いつつ、清掃することができる。
【００３１】
これに対し、住人全員が外出する際などの建物内に人が居なくなるときは、強清掃モードに設定すると、敢えて家具などに付着した埃なども舞い上げる程の強の状態の風量で、室内空間において、２４時間換気を行いつつ、強力に清掃することができる。
【００３２】
なお、建物内の人の意向で通常モードに設定すれば、換気のみに必要な程度の微弱の状態の風量で、室内空間において、２４時間換気のみを行うことができる。
【００３３】
このような本発明の建物は、上記したいずれかの室内清掃システムを備えた構成であるので、上記した室内清掃システムの効果を奏する建物を構築することができる。
【図面の簡単な説明】
【００３４】
【図１】実施例１の室内清掃システムを備えた建物の概略構成を示す説明図である。
【図２】実施例２の室内清掃システムにおける給気口の周辺を示す説明図である。
【図３】実施例２の室内清掃システムにおける排気口の周辺を示す説明図である。
【図４】実施例３の室内清掃システムにおける給気口の周辺を示す説明図である。
【図５】実施例３の室内清掃システムにおける排気口の周辺を示す説明図である。
【図６】実施例４の室内清掃システムを備えた建物の概略構成を示す説明図である。
【発明を実施するための形態】
【００３５】
以下、本発明を実施するための形態を、図面に示す実施例１〜４に基づいて説明する。
【実施例１】
【００３６】
先ず、実施例１について説明する。
【００３７】
図１は、実施例１の室内清掃システムを備えた建物１の概略構成を示している。
【００３８】
まず、このような建物１は、基礎として構築された基礎底盤コンクリート１ａと、その側縁に立設された基礎側壁コンクリート１ｂと、さらにその上に立設された壁部１ｃと、その壁部１ｃの上端開口を塞ぐ天井部１ｄとから主に構成されている。
【００３９】
そして、この天井部１ｄと壁部１ｃとに囲まれる空間は、１階の床部１ｅによって床下空間２と屋内空間とが区切られている。さらに、この屋内空間は、２階の床部１ｆによって１階の室内空間３Ａと２階の室内空間３Ｂとに区切られている。
【００４０】
この実施例１の清掃システムでは、床下空間２に、給気用ファン４１ａが内蔵された送風装置４１とフィルター装置４２とをダクト４３で接続した２４時間換気システムの空気清浄機４が設置されている。
【００４１】
ここで、空気清浄機４の送風装置４１に接続されたダクト４４が、一方の基礎側壁コンクリート１ｂ及び壁部１ｃ内に通され、その先端が壁部１ｃの外側まで達するように配設されて、屋外の新鮮な空気を吸い込むための吸込口４ａが形成されている。
【００４２】
また、空気清浄機４のフィルター装置４２に接続されたダクト４５が、ダクト４４を配設した側の基礎側壁コンクリート１ｂ及び壁部１ｃ内に通され、その先端が壁部１ｃの内側の１階の室内空間３Ａ及び２階の室内空間３Ｂにそれぞれ達するように配設されて、給気口５がそれぞれ設けられている。
【００４３】
ここで、１階の室内空間３Ａの給気口５は、床部１ｅの近傍に設けられており、２階の室内空間３Ｂの給気口５も、床部１ｆの近傍に設けられている。
【００４４】
また、１階の室内空間３Ａの床部１ｅの上面には、内部に排気用ファン６ａを有する排気口６が設けられており、この排気口６から接続されたダクト６１が、床部１ｅ内に通され、その先端がダクト４４，４５を配設した壁部１ｃと対向する壁部１ｃの外側まで達するように配設されて、室内空間３Ａ内の汚れた空気を吹き出すための吹出口６ｂが形成されている。
【００４５】
さらに、ダクト４４，４５を配設した壁部１ｃと対向する壁部１ｃの床部１ｅの近傍に、内部に排気用ファン７ａを有する排気口７が設けられている。
【００４６】
また、２階の室内空間３Ｂの床部１ｆの上面にも、内部に排気用ファン６ａを有する排気口６が設けられており、この排気口６から接続されたダクト６１が、床部１ｆ内に通され、その先端がダクト４４，４５を配設した壁部１ｃと対向する壁部１ｃの外側まで達するように配設されて、室内空間３Ｂ内の汚れた空気を吹き出すための吹出口６ｂが形成されている。
【００４７】
さらに、ダクト４４，４５を配設した壁部１ｃと対向する壁部１ｃの床部１ｆの近傍にも、内部に排気用ファン７ａを有する排気口７が設けられている。
【００４８】
次に、実施例１の室内清掃システムの運転パターンについて説明する。
【００４９】
まず、２４時間換気システムの空気清浄機４の送風装置４１内の給気用ファン４１ａを回転させると、吸込口４ａから屋外の新鮮な空気が吸い込まれる。
【００５０】
そして、この新鮮な空気は、ダクト４４、送風装置４１及びダクト４３を通って、フィルター装置４２内でさらに浄化されてからダクト４５を通って、給気口５，５から１階の室内空間３Ａ及び２階の室内空間３Ｂへそれぞれ給気される。
【００５１】
ここで、１階の室内空間３Ａ及び２階の室内空間３Ｂともに、空気よりも軽い埃は勿論、空気よりも重い埃も、給気口５からの風圧により、排気口６，７の方向に押しやられる。
【００５２】
そして、排気用ファン６ａを回転させ、押しやられてきた埃を、汚れた空気とともに、排気口６から吸い込み、ダクト６１を通して、吹出口６ｂから強制的に建物１の屋外へ排出する。
【００５３】
また、排気用ファン７ａを回転させ、押しやられてきた埃を、汚れた空気とともに、排気口７からも強制的に建物１の屋外へ排出する。
【００５４】
さらに、この実施例１の室内清掃システムには、弱清掃モードと強清掃モードと通常モードの３つのモードがある。
【００５５】
建物１内に人が居るときは、図示省略のコントローラにより、弱清掃モードに設定すると、給気用ファン４１ａ及び排気用ファン６ａ，７ａの回転数は、建物１内の人が不快感を持たない程度の風量を起こす弱の状態となり、１階の室内空間３Ａ及び２階の室内空間３Ｂを、２４時間換気を行いつつ、清掃することができる。
【００５６】
これに対し、住人全員が外出する際などの建物１内に人が居なくなるときは、図示省略のコントローラにより、強清掃モードに設定すると、給気用ファン４１ａ及び排気用ファン６ａ，７ａの回転数は、敢えて家具などに付着した埃なども舞い上げる程の風量を起こす強の状態となり、１階の室内空間３Ａ及び２階の室内空間３Ｂを、２４時間換気を行いつつ、強力に清掃することができる。
【００５７】
なお、建物１内の人の意向で、図示省略のコントローラにより、通常モードに設定すれば、給気用ファン４１ａ及び排気用ファン６ａ，７ａの回転数は、換気のみに必要な程度の風量を起こす微弱の状態となり、１階の室内空間３Ａ及び２階の室内空間３Ｂの２４時間換気のみを行う。
【００５８】
次に、実施例１の作用効果について説明する。
【００５９】
このような実施例１の室内清掃システムは、建物１の１階の室内空間３Ａ及び２階の室内空間３Ｂが、給気口５と、床部１ｅ，１ｆ及び床部１ｅ，１ｆ近傍の壁部１ｃに設けられた排気口６，７とをそれぞれ備えた構成である。
【００６０】
こうした構成なので、通常の換気では建物１の屋外へ排出することができない空気より重い埃の床部１ｅ，１ｆの上面などへの堆積を減少させ、室内清掃の負担を低減することができる。
【００６１】
ここで、排気口６に、排気用ファン６ａが設けられ、排気口７にも、排気用ファン７ａが設けられているので、排気用ファン６ａ，７ａの働きで、空気より重い埃の床部１ｅ，１ｆの上面などへの堆積をより減少させ、室内清掃の負担をより低減することができる。
【００６２】
そのうえ、排気口６，７には、掃除機や集塵機と異なり、エアフィルターがない分、分圧損が少なく、さらに、直接埃を建物１の屋外に排出することができるため、効率的に清掃が行え、室内空間３Ａ，３Ｂ内の気流をほとんど乱すこともなく、室内空間３Ａ，３Ｂ内の人に不快感を与えることがない。
【００６３】
また、建物１が、２４時間換気システムを備えているので、空気より軽い埃も、建物１の屋外へほとんど排出することができる。
【００６４】
さらに、給気口５が、２４時間換気システムの給気口であるので、別途、給気口を設ける必要がなく、施工性がよい。
【００６５】
また、給気口５が、排気口７と対向する床部１ｅ，１ｆの近傍の壁部１ｃにそれぞれ設けられているので、給気口５からの風圧により、空気よりも重い埃を排気口６，７の方向へ押しやるため、室内空間３Ａ，３Ｂをより効率的に清掃することができる。
【００６６】
さらに、この実施例１の室内清掃システムには、弱清掃モードと強清掃モードと通常モードの３つのモードがあるため、運転パターンについての説明で記載したように、この３つのモードを適宜切り換えて、住人の意向に沿った運転を行うことができる。
【００６７】
このような実施例１の建物１は、上記した室内清掃システムを備えた構成であるので、上記した室内清掃システムの作用効果を奏する建物１を構築することができる。
【実施例２】
【００６８】
次に、実施例２について説明する。
【００６９】
なお、上記実施例１で説明した内容と同一乃至均等な部分の説明については同一符号を付して説明する。
【００７０】
この実施例２の室内清掃システムでは、図２及び図３に示したように、給気口５に可動式のノズル８が設けられ、排気口７にも、可動式のノズル９が設けられた構成とされている。
【００７１】
すなわち、この実施例２の室内清掃システムでは、給気口５及び排気口７に、ノズル８，９がそれぞれ設けられているので、ノズル８，９の方向により、空気の流れる方向を効率的な方向へ設定できるため、空気より重い埃の床部１ｅ，１ｆの上面などへの堆積をさらにより減少させ、室内清掃の負担をさらにより低減することができる。
【００７２】
また、ノズル８，９が、可動式であるので、家具を動かすなど、室内空間３Ａ又は室内空間３Ｂのレイアウトなどを変えた際なども、ノズル８，９の方向を変えるだけで、空気の流れる方向を効率的な方向へ設定できる。
【００７３】
これらのことが、上記実施例１と主に異なる。
【００７４】
なお、他の構成及び作用効果については、上記実施例１と略同様であるので説明を省略する。
【実施例３】
【００７５】
次に、実施例３について説明する。
【００７６】
なお、上記実施例１で説明した内容と同一乃至均等な部分の説明については同一符号を付して説明する。
【００７７】
この実施例３の室内清掃システムでは、図４及び図５に示したように、給気口５に可動式の複数の羽１０ａ・・・から成るルーバー１０が設けられ、排気口７にも、可動式の複数の羽１１ａ・・・から成るルーバー１１が設けられた構成とされている。
【００７８】
すなわち、この実施例３の室内清掃システムでは、給気口５及び排気口７に、ルーバー１０，１１がそれぞれ設けられているので、ルーバー１０，１１の羽１０ａ，・・・及び１１ａ，・・・の方向により、空気の流れる方向を効率的な方向へ設定できるため、空気より重い埃の床部１ｅ，１ｆの上面などへの堆積をさらにより減少させ、室内清掃の負担をさらにより低減することができる。
【００７９】
また、ルーバー１０，１１が、可動式であるので、家具を動かすなど、室内空間３Ａ又は室内空間３Ｂのレイアウトなどを変えた際なども、ルーバー１０，１１の羽１０ａ，・・・及び１１ａ，・・・の方向を変えるだけで、空気の流れる方向を効率的な方向へ設定できる。
【００８０】
これらのことが、上記実施例１と主に異なる。
【００８１】
なお、他の構成及び作用効果については、上記実施例１と略同様であるので説明を省略する。
【実施例４】
【００８２】
次に、実施例４について説明する。
【００８３】
なお、上記実施例１で説明した内容と同一乃至均等な部分の説明については同一符号を付して説明する。
【００８４】
図６は、実施例４の室内清掃システムを備えた建物１Ａの概略構成を示している。
【００８５】
この実施例４の室内清掃システムでは、図６に示したように、２４時間換気システムの構成が、上記実施例１と主に異なる。
【００８６】
すなわち、実施例４の２４時間換気システムでは、空気清浄機４０が、フィルター装置４２と送風装置４１Ａと集塵装置４１Ｂとから主に構成されている。
【００８７】
そして、屋外の新鮮な空気が吸込口４ａから吸い込まれ、ダクト４４を介してフィルター装置４２を通ってからダクト４３Ａを介して送風装置４１Ａへ送られる。
【００８８】
こうして吸い込まれた屋外の新鮮な空気は、送風機４１Ａから分岐チャンバ４７を介して、１階の室内空間３Ａの床部１ｅに設けられた給気口５及び２階の室内空間３Ｂの床部１ｆに設けられた給気口５へダクト４５Ａ，４５Ｂをそれぞれ介して送られ、給気口５，５から１階の室内空間３Ａ及び２階の室内空間３Ｂへそれぞれ給気される。
【００８９】
ここで、１階の室内空間３Ａ及び２階の室内空間３Ｂの埃などで汚れた空気は、一部は、実施例１と同様に、床部１ｅ，１ｆ近傍の壁部１ｃに設けられた排気用ファン７ａを有する排気口７，７からそれぞれ排気される。
【００９０】
そして、残りの汚れた空気は、床部１ｅ，１ｆに設けられた排気用ファン６ａを有する排気口６，６からそれぞれ吸い込まれ、実施例１のようにすぐに屋外に排出するのではなく、ダクト６１Ａを介して、集塵装置４１Ｂへ送り込まれ、この集塵装置４１Ｂ内で埃などの汚れを取り除いた後、ダクト４３Ｂを介して、送風装置４１Ａに送り込まれる。
【００９１】
こうしてある程度きれいにされた空気は、送風装置４１Ａからダクト４６を介して、吹出口４ｂから吹き出し排出される。
【００９２】
ここで、送風装置４１Ａ内には、図示を省略した熱交換器が内蔵されており、給気と排気の際に給気した空気と排気する空気との間で熱交換を行うため、２４時間換気システムが稼動している間も、１階の室内空間３Ａ及び２階の室内空間３Ｂの内部の熱損失が少なく、例えば、冷暖房を行っていても、温度変化を小さくすることができる。
【００９３】
また、送風装置４１Ａ内にも、実施例１の送風装置４１と同様に給気用ファンが設けられているが、構造がより複雑であるため、誤解を避けるように図示は省略した。
【００９４】
これらのことが、上記実施例１と主に異なる。
【００９５】
なお、他の構成及び作用効果については、上記実施例１と略同様であるので説明を省略する。
【００９６】
以上、図面を参照して、本発明を実施するための形態について実施例１〜４をもとに詳述してきたが、具体的な構成は、上記した実施例１〜４に限らず、本発明の要旨を逸脱しない程度の設計的変更は、本発明に含まれる。
【００９７】
例えば、実施例１〜４では、説明を簡単にするために、建物１を単純な２階建ての構成としたが、これに限定されない。
【００９８】
すなわち、平屋や３階以上の部屋数がより多い複雑な建物を構築して実施しても、同様の作用効果が得られる。
【００９９】
また、実施例１〜４では、室内空間３Ａ，３Ｂにおいて、給気口５及び排気口６，７を、１つずつのみ設けて実施したが、これに限定されず、適切な箇所に複数設けて実施してもよい。
【０１００】
さらに、実施例１〜４では、床部１ｅ，１ｆの排気口６と壁部１ｃの排気口７とを設けて実施したが、片方だけを設けて実施してもよい。
【０１０１】
また、実施例１〜４では、給気口５として、２４時間換気システムの給気口を用いて実施したが、これに限定されず、別途の給気口を設けて実施してもよい。
【０１０２】
さらに、実施例１〜３では、図１に示した構成の２４時間換気システムを適用して実施したが、これに限定されず、その他の構成の２４時間換気システムを適用して実施してもよい。
【０１０３】
また、実施例４では、図６に示した構成の２４時間換気システムを適用して実施したが、これに限定されず、その他の構成の２４時間換気システムを適用して実施してもよい。
【０１０４】
さらに、実施例４においても、実施例２，３のように、給気口５や排気口７に可動式のノズル８，９やルーバー１０，１１を設けて実施してもよい。
【符号の説明】
【０１０５】
１      建物
１Ａ    建物
１ａ    基礎底盤コンクリート
１ｂ    基礎側壁コンクリート
１ｃ    壁部
１ｄ    天井部
１ｅ    （１階の）床部
１ｆ    （２階の）床部
２      床下空間
３Ａ    １階の室内空間
３Ｂ    ２階の室内空間
４      空気清浄機
４０    空気清浄機
４ａ    吸込口
４ｂ    吹出口
４１    送風装置
４１Ａ  送風装置
４１Ｂ  集塵装置
４１ａ  給気用ファン
４２    フィルター装置
４３    ダクト
４３Ａ  ダクト
４３Ｂ  ダクト
４４    ダクト
４５    ダクト
４５Ａ  ダクト
４５Ｂ  ダクト
４６    ダクト
５      給気口
６      排気口
６ａ    排気用ファン
６ｂ    吹出口
６１    ダクト
６１Ａ  ダクト
７      排気口
７ａ    排気用ファン
８      ノズル
９      ノズル
１０    ルーバー
１０ａ  羽
１１    ルーバー
１１ａ  羽
【図１】
2010175183.tif 000003
【図２】
2010175183.tif 000004
【図３】
2010175183.tif 000005
【図４】
2010175183.tif 000006
【図５】
2010175183.tif 000007
【図６】
2010175183.tif 000008